(57)【要約】【課題】浄水カートリッジを内蔵しつつ、外観等が良く、有害物質の予定外の流出を抑制できる湯水混合水栓を提供する。【解決手段】給湯路２０と給水路２１とを具備する水栓ボディ１０と、給湯路２０を通じて供給される湯と給水路２１を通じて供給される水とを混合し、排出口３０ｃを通じて排出可能な混合弁（第１の摺動弁装置３０）と、水栓ボディ１０から突出する状態に配設され、吐水口を開口させた吐水部材（吐水ヘッド６０）と、浄水カートリッジ７０とを備える。排出口３０ｃ及び吐水口を連絡するための原水用の通水路Ｇと、給水路２１及び取入口を連絡するための浄水用の通水路Ｊと、が別々に設けられた。【選択図】図４
2008208582.tif 000002
【特許請求の範囲】
【請求項１】
給湯源に連絡される給湯路と給水源に連絡される給水路とを具備する水栓ボディと、
前記水栓ボディ内に配設され、前記給湯路を通じて供給される湯と前記給水路を通じて供給される水とを所定の混合割合にて混合し、排出口を通じて排出可能な混合弁と、
前記水栓ボディから突出する状態に配設されると共に、所定の部位に吐水口を開口させた吐水部材と、
前記吐水部材内において前記吐水口の開口部位よりも１次側に位置する箇所に配設されると共に、前記給水源から供給される水の取入部と、浄水処理された水の取出部とを具備する浄水カートリッジと、
を備える湯水混合水栓であって、
前記排出口及び前記吐水口を連絡するための原水用の通水路と、前記給水路及び前記取入部を連絡するための浄水用の通水路と、が別々に設けられたことを特徴とする湯水混合水栓。
【請求項２】
前記取出部及び前記吐水口を連絡する吐水路と、前記原水用の通水路とが所定の合流部において合流すると共に、
前記取出部と、前記合流部との間に逆止弁が配設されたことを特徴とする請求項１に記載の湯水混合水栓。
【請求項３】
前記取出部及び前記吐水口を連絡する吐水路が、前記原水用の通水路と分離されて設けられていることを特徴とする請求項１に記載の湯水混合水栓。
【請求項４】
前記水栓ボディは、上がり傾斜状に突出して、前記吐水部材の基端部を挿嵌状に支持する支持部を具備し、
該支持部の内部空間が隔壁を用いて、前記原水用の通水路の一部を構成する第１の通水路部と、前記浄水用の通水路の一部を構成する第２の通水路部とに区画され、
前記浄水カートリッジは、流入口を具備する外郭ケースに挿入された状態で前記吐水部材に遊入され、
前記流入口と前記第２の通水路部とが水密状に連結され、外郭ケースの外壁部と前記吐水部材の内壁部との間に形成された空間部が、前記第１の通水路部に水密状に連通することを特徴とする請求項１〜３の何れかに記載の湯水混合水栓。
【発明の詳細な説明】
【技術分野】
【０００１】
本発明は、湯水混合水栓に関する。
【背景技術】
【０００２】
近年、湯水混合水栓において、浄水器（浄水カートリッジ）を一体化することが行われている。例えば、図１１に示すように、水栓ボディ８０と、水栓ボディ８０の側部に一体化された浄水器８２と、を備える湯水混合水栓が提案されている（特許文献１、以下、「従来例」という。）。この水栓ボディ８０には、給湯源から給湯管８１Ｈを用いて供給される湯と、給水源から給水管８１Ｃを用いて供給される水とを混合可能な混合弁が内蔵されている（図示を省略）。また、浄水器８２の内部には、浄水カートリッジ８２ｃが収納されている。
【特許文献１】特開平９−２２８４３７号公報
【発明の開示】
【発明が解決しようとする課題】
【０００３】
しかし、この従来例に係る湯水混合水栓では、浄水器８２が水栓ボディ８０に外付けされた状態となるため、外観（見栄え）が悪いという、問題点を有している。また、水栓ボディ８０の側部に浄水器８２を配設する分だけ、設置スペースが拡大するとう、問題点も有している。
【０００４】
一方、本発明者は、かかる問題点を解決するために、以下に示すような「湯水混合水栓（以下、「改良例」という。）」を完成した。つまり、この改良例に係る湯水混合水栓は、図１２及び図１３に示すように、湯と水を混合可能な混合弁８５ａを内蔵すると共に支持部８５ｂを備える水栓ボディ８５と、この支持部８５ａによって着脱支持されるシャワーヘッド８６と、混合弁８５ａの排出口に対して、始端部（１次側の端部）が接続されたシャワーホース８８と、を備えている。
【０００５】
この改良例に係るシャワーヘッド８６は、略筒状の把持部８６ａと、頭部８６ｂとを備えている。また、この把持部８６ａ内には、浄水カートリッジ８６ｊが遊入（遊びを持った状態で挿入）されていると共に、「把持部８６ａにおいて、浄水カートリッジ８６ｊの配設部位よりも、１次側に位置する部位」に、シャワーホース８８の終端部（２次側の端部）が接続されている。そして、把持部８６ａの内壁部と、浄水カートリッジ８６ｊの外壁部との間に形成される環状の空間部を用いて、「原水用の吐水流路８６ｄ」が構成され、浄水カートリッジ８６ｊ内の空間部（浄化材が充填された空間部）によって、「浄水用の吐水流路８６ｅ」が構成される。
【０００６】
また、頭部８６ｂは、端部にシャワーフェイス（吐水口）８６ｋを備えると共に、吐水流路（吐水流路８６ｄ、８６ｅ）等を選択するための弁装置８６ｆを内蔵している。更に、この頭部８６ｂの外面部からは、弁装置８６ｆを操作するための操作ボタン８６ｇ、８６ｈが、複数個、露呈している。そして、「原水吐水用の操作ボタン８６ｇ」を操作すると、「シャワーホース８８を通じて供給される湯水」が、原水用の吐水流路８６ｄ、シャワーフェイス８６ｋを通じて吐水される。一方、「浄水吐水用の操作ボタン８６ｈ」を操作すると、「シャワーホース８８を通じて供給される湯水」が、浄水用の吐水流路８６ｅ、シャワーフェイス８６ｋを通じて吐水される。
【０００７】
このように、この改良例の湯水混合水栓は、シャワーヘッド８６の先端の操作ボタン８６ｇ、８６ｈによって、シャワーフェイス８６ｋから吐水する湯水の種類（浄水と原水）を切り換える構造を備える。また、「原水用の吐水流路８６ｄ」及び「浄水用の吐水流路８６ｅ」の直前までの通水路が、「１本のシャワーホース８８」で構成されている。このため、例えば、「混合弁８５ａから湯を排出させ、シャワーホース８８からシャワーヘッド８６に湯を供給している状態で、操作ボタン８６ｇ、８６ｈの操作を間違った場合」や、「シャワーホース８８内に湯が滞留している場合」等においては、「浄水カートリッジ８６ｊの取入口８６１ｊ」から「浄水カートリッジ８６ｊ内部」に向かって湯が進入することがある。
【０００８】
かかる場合、この湯が、浄水カートリッジ８６ｊを通過して、シャワーフェイス８６ｋから吐水されることとなるが、その際、以下の不具合を生ずることがある。つまり、「浄水カートリッジ８６ｊを構成する浄化材（活性炭等）に既に付着していた（吸着されていた）有害物質（トリハロメタン等）」が、浄水カートリッジ８６ｊ内を通過する湯と共に、シャワーフェイス８６ｋから流出してしまう、不具合を生ずる可能性がある。
【０００９】
以上のような事情より、この改良例に係る湯水混合水栓に対して、更に、改良を加えることが必要である。つまり、前述の従来例の問題点を解決しつつ、改良例の不具合を解消することが必要である。
【００１０】
本発明は、上述の課題を解決するものであり、浄水カートリッジを内蔵しつつ、外観（見栄え）が良く、設置スペースの省スペース化を図ることができると共に、有害物質の予定外の流出を抑制できる湯水混合水栓を提供することを目的とする。
【課題を解決するための手段】
【００１１】
請求項１の発明の湯水混合水栓は、
給湯源に連絡される給湯路と給水源に連絡される給水路とを具備する水栓ボディと、
前記水栓ボディ内に配設され、前記給湯路を通じて供給される湯と前記給水路を通じて供給される水とを所定の混合割合にて混合し、排出口を通じて排出可能な混合弁と、
前記水栓ボディから突出する状態に配設されると共に、所定の部位に吐水口を開口させた吐水部材と、
前記吐水部材内において前記吐水口の開口部位よりも１次側に位置する箇所に配設されると共に、前記給水源から供給される水の取入部と、浄水処理された水の取出部とを具備する浄水カートリッジと、
を備える湯水混合水栓であって、
前記排出口及び前記吐水口を連絡するための原水用の通水路と、前記給水路及び前記取入部を連絡するための浄水用の通水路と、が別々に設けられたことを特徴とする。
【００１２】
請求項１の発明の湯水混合水栓においては、吐水部材内に浄水カートリッジを配設するため、外観（見栄え）が良く、設置スペースの省スペース化を図ることができる。また、原水用の通水路と、浄水用の通水路とが隔離され、各々が専用の通水路とされるため、「原水用の通水路を通過する湯水」が、浄水カートリッジの取入部（例えば、取入口）に流入することはない。換言すると、給水路を経て「浄水用の通水路」に流入した「水」のみが、浄水カートリッジの取入部に流入することになる。従って、請求項１の発明の湯水混合水栓によると、「浄水カートリッジを構成する浄化材に付着していた有害物質（トリハロメタン等）が、吐水口から流出するという不具合」の発生を抑制すること（つまり、有害物質の予定外の吐水を抑制すること）ができる。
【００１３】
ここで、本明細書において、「混合水」とは、「湯（給湯源から供給された湯）」及び「水（給水源から供給された水）を混合して生成される「湯水」を指す。また、本明細書において、「湯水」とは、「湯（給湯源から供給された湯）」、「水（給水源から供給された水）」、及び、「混合水」を指す。更に、「原水」とは、「浄水カートリッジ」や「浄水器」を通過せずに（浄化材で浄化されることなく）、吐水されることになる湯水（湯、水、若しくは、混合水）」を指し、「浄水」とは、「浄水カートリッジや浄水器を通過して吐水される湯水（湯、水、若しくは、混合水）」を指す。
【００１４】
本明細書において、「浄化処理」とは、水道水中より、「カルキ分」等の不要成分や、トリハロメタン等の有害成分を除去して浄水とする処理等を指す。また、各請求項の発明の「浄水カートリッジ」は、浄化材のみで構成されてもよいし、この浄化材とこの浄化材を被覆する外装体とを備えてもよい、また、この「浄化材（ろ過材）」としては、（１）活性炭を用いて構成される浄化材、（２）中空糸膜と、活性炭を用いて構成される浄化材、（３）セラミックと、活性炭を用いて構成される浄化材、（４）逆浸透膜と、活性炭を用いて構成される浄化材、等を例示できる。
【００１５】
各請求項の発明の「吐水部材」としては、吐水ヘッド（シャワーヘッド等）や、吐水管を例示できる。また、吐水口は、通常、「吐水部材」の端末部に設けられる。尚、吐水ヘッド（例えば、シャワーヘッド）においては、吐水口を吐水フェイス（例えば、シャワーフェイス）によって構成することができる。また、吐水口が複数の部分（以下、「吐水口部分」という。）によって構成される場合、全ての「吐水口部分」が、原水と浄水の吐水を行ってもよいし、原水を吐水するための吐水口部分と、浄水を吐水するための吐水口部分が別々とされてもよい。
【００１６】
各請求項の発明においては、混合弁（つまり、温度調節用の弁装置）の態様は種々選択でき、摺動ディスクタイプ、サーモスタットタイプ、２ハンドルタイプ等の種々の混合弁を例示できる。また、この混合弁は、（ｉ）「原水」の吐止水の選択を行うものであってもよいし、（ｉｉ）「原水の吐止水の選択」及び「原水の吐水量の選択」を行うものであってもよい。また、混合弁の２次側（原水用の通水路の途中、若しくは、吐水口の部分等）に配設された弁装置（吐止水弁）によって、（ｉ）「原水」の吐止水の選択を行ったり、（ｉｉ）「原水の吐止水の選択」及び「原水の吐水量の選択」を行ってもよい。
【００１７】
各請求項の発明においては、「浄水用の通水路」の１次側の端部を、給水路の中間部に常時連通させると共に、浄水用の通水路の中間部に、「浄水用の弁装置」を配設してもよい。この場合、「浄水用の弁装置」に操作（開閉操作）を施すこととで、（ｃ）「浄水の吐止水の選択」を行ったり、（ｄ）「浄水の吐止水の選択」及び「浄水の吐水量の選択」を行うこととしてもよい。つまり、この「浄水用の弁装置」に操作（開閉操作）を施すこととで、（ｃ）「浄水用の通水路において、浄水用の弁装置の１次側に位置する部位」と、「浄水用の弁装置において、浄水用の弁装置の２次側に位置する部位」と、を択一的に連通させることとしてもよいし、（ｂ）「浄水用の通水路において、浄水用の弁装置の１次側に位置する部位」と、「浄水用の弁装置において、浄水用の弁装置の２次側に位置する部位」との連通度合いを調節すること（非連通とすることも含む。）としてもよい。
【００１８】
この「浄水用の弁装置」を用いる態様では、混合弁の１次側に、「常時、必要な量、給水圧の水」が待機しているため、「所定温度の混合水の吐水」を試みようとする場合、吐水口から吐水される混合水の温度を、直ぐに、所望の温度とすることができる。つまり、混合水の吐水の初期段階において、吐水口から、「予定外の熱湯（給湯源から供給されたままの湯、若しくは、それに近い温度の湯）」が吐水されることがない。
【００１９】
また、各請求項の発明においては、給水路の中間部に、「給水路用の弁装置」を配設してもよい。つまり、給水路を、この中間部よりも１次側に位置する「１次側の給水路部」と、この中間部よりも２次側に位置する「２次側の給水路部」とに、便宜上、分けて考える。また、「１次側の給水路部」と、「２次側の給水路部」とを、「給水路用の弁装置」で接続すると共に、この「給水路用の弁装置」に、「浄水用の通水路」の一次側の端部を接続する。そして、この「給水路用の弁装置」に操作（開閉操作）を施すこととで、（ａ）「浄水の吐止水の選択」を行ったり、（ｂ）「浄水の吐止水の選択」及び「浄水の吐水量の選択」を行うこととしてもよい。つまり、この「給水路用の弁装置」に操作（開閉操作）を施すこととで、（ａ）１次側の給水路部と、浄水用の通水路とを択一的に連通させることとしてもよいし、（ｂ）１次側の給水路部と、浄水用の通水路との連通度合いを調節すること（非連通とすることも含む。）としてもよい。
【００２０】
この「給水路用の弁装置」としては、（Ａ）１次側の給水路部と２次側の給水路部とを連通させ、１次側の給水路部と浄水用の通水路とを非連通とする状態と、（Ｂ）１次側の給水路部と２次側の給水路部とを非連通とし、１次側の給水路部と浄水用の通水路と連通させる状態と、を択一的に実現する「切換弁」という。）」を例示できる。但し、この「給水路用の弁装置」は、１次側の給水路部と２次側の給水路部とを常時連通させつつ、１次側の給水路部と浄水用の通水路とを連通させたり、非連通とする「切換弁（以下、「後者の切換弁」という。）」であってもよい。尚、「後者の切換弁」によると、前述の「浄水用の弁装置を用いる態様」と同様に、２次側の給水路部に、「常時、必要な量、給水圧の水」が待機しているため、「所定温度の混合水の吐水」を試みようとする場合、吐水口から吐水される混合水の温度を、直ぐに、所望の温度とすることができる。            
【００２１】
請求項２の発明の湯水混合水栓は、請求項１に記載の湯水混合水栓において、
前記取出部及び前記吐水口を連絡する吐水路と、前記原水用の通水路とが所定の合流部において合流すると共に、
前記取出部と、前記合流部との間に逆止弁が配設されたことを特徴とする。
【００２２】
請求項２の発明では、吐水路において、合流部と吐水口との間に位置する部分（以下、「共用路」という。）を、原水及び浄水が通過する。つまり、吐水部材の「内部流路の一部」を、原水吐水用及び浄水吐水用として兼用するため、その分、吐水部材の構造の簡略化を図ることができる。しかも、請求項２の発明では、逆止弁を備えるため、「共用路」内の原水が、「浄水カートリッジ」に向かって逆流することが防止できる。つまり、請求項２の発明によると、吐水部材の構造の簡略化を図りつつ、「原水の浄水カートリッジへの逆流」を防止することができる。
【００２３】
請求項３の発明の湯水混合水栓は、請求項１に記載の湯水混合水栓において、
前記取出部及び前記吐水口を連絡する吐水路が、前記原水用の通水路と分離されて設けられていることを特徴とする。
【００２４】
請求項３の発明では、吐水路と、原水用の通水路とが分離されているため、「原水用の通水路内の原水が、浄水カートリッジに向かって逆流すること」を確実に防止できる。
【００２５】
請求項４の発明の湯水混合水栓は、請求項１〜３の何れかに記載の湯水混合水栓において、
前記水栓ボディは、上がり傾斜状に突出して、前記吐水部材の基端部を挿嵌状に支持する支持部を具備し、
該支持部の内部空間が隔壁を用いて、前記原水用の通水路の一部を構成する第１の通水路部と、前記浄水用の通水路の一部を構成する第２の通水路部とに区画され、
前記浄水カートリッジは、流入口を具備する外郭ケースに挿入された状態で前記吐水部材に遊入され、
前記流入口と前記第２の通水路部とが水密状に連結され、外郭ケースの外壁部と前記吐水部材の内壁部との間に形成された空間部が、前記第１の通水路部に水密状に連通することを特徴とする。
【００２６】
請求項４の発明によると、「外郭ケース」を用いて、「原水用の通水路と、浄浄化材とを隔離するための隔壁」を構成する。従って、請求項４の発明によると、「吐水部材の内部空間を区画するための隔壁」を吐水部材に形成したり、吐水部材を２重管構造とすること等が必要とされないため、吐水部材の内部構造の簡略化を図ることができる。
【発明の効果】
【００２７】
以上のように、請求項１〜４の各発明によると、浄水カートリッジを内蔵しつつ、外観（見栄え）が良く、設置スペースの省スペース化を図ることができると共に、有害物質の予定外の流出を抑制できる湯水混合水栓を得ることができる。
【発明を実施するための最良の形態】
【００２８】
次に、本各発明に係わる「湯水混合水栓」の最良の形態（以下、「実施例」という。）を図面に従って詳細に説明する。
【００２９】
この湯水混合水栓Ｓは、図１〜図３を用いて示すように、水栓ボディ１０と、第１の摺動弁装置３０と、第２の摺動弁装置５０と、吐水ヘッド６０と、浄水カートリッジ７０と、を備えている。尚、図４に示すように、この湯水混合水栓Ｓは、デッキ部（流し台の天板等）Ｄ上に設置されて用いられる。また、給湯源Ｈ（給湯配管の端末部）と、給水源Ｃ（給水配管の端末部）は、デッキ部（流し台の天板等）Ｄの下方に到達している。
【００３０】
水栓ボディ１０は鋳物を用いて構成され、図１に示すように、略円柱形の外形を備える本体部１１と、略筒状となりつつ、本体部１１の外周部から上がり傾状に突出する支持部１２と、略筒状とされつつ、本体部１１の外周部から側方に突出する取付部（図３及び図６を参照）１３と、を備えている。また、図３に示すように、支持部１２の外周部には雌ねじ部１２ａが設けられている。そして、この雌ねじ部１２ａには、ナット型に構成されるスペーサ１４が螺合されている。
【００３１】
図３に示すように、支持部１２の内部空間は、隔壁１２ｂを用いて上下に分割されている。つまり、支持部１２の内部空間は、隔壁１２ｂの上方に位置する空間部分（以下、「上方空間部」という。）１２ｕと、隔壁１２ｂの下方に位置する空間部分（以下、「下方空間部」という。）１２ｄとに分けられている。尚、この隔壁１２ｂは、請求項４の発明の「隔壁」の具体例を構成する。また、「上方空間部」１２ｕによって、請求項４の発明の「第１の通水路部」の具体例が構成され、「下方空間部」によって、請求項４の発明の「第２の通水路部」の具体例が構成される。
【００３２】
「上方空間部１２ｕ」の全体が、支持部１２の突端部において斜め上方に開放され、下方空間部１２ｄの一部が、支持部１２の突端部において斜め上方に開放されている。つまり、下方空間部１２ｄは、「支持部１２の軸心位置に設けられた略円柱状の被接続部１２ｅ」によって、斜め上方に開放されている。また、下方空間部１２ｄの残りの部分（被接続部１２ｅの設けられていない部分）には、略扇形状の蓋部１２ｆが配設されている。更に、被接続部１２ｅの中間部には装着溝が設けられ、この装着溝には、シール部材（パッキン等）１２ｐが装着されている。
【００３３】
図４に示すように、水栓ボディ１０の内部には、給湯路２０と、給水路２１と、分岐流路２３と、排出流路２５とが設けられている。尚、本実施例では、水栓ボディ１０内に設けられる空洞部（空間部）によって、内部流路（給湯路２０、給水路２１、分岐流路２３、排出流路２５）を形成するが、ホース、パイプ等の配管用部品を用いて、水栓ボディ１０の内部流路を構成することもできる。
【００３４】
図４に示すように、給湯路２０は、１次側の端部２０ａを本体部１１の下方側に配設し、２次側の端部２０ｂを本体部１１の上方側に配設している。そして、「給湯路２０の１次側の端部２０ａ」と、給湯源Ｈ（給湯配管の端末部）とは、給湯用の中継ぎ管２６Ｈを介して接続されている。また、「給湯路２０の２次側の端部２０ｂ」は、後述する「第１の摺動弁装置３０」の給湯口３０ａに接続されている。
【００３５】
図４に示すように、給水路２１も、１次側の端部２１ａを本体部１１の下方側に配設し、２次側の端部２１ｂを本体部１１の上方側に配設している。そして、「給水路２１の１次側の端部２１ａ」と、給水源Ｃ（給湯配管の端末部）とは、給水用の中継ぎ管２６Ｃを介して接続されている。また、「給水路２１の２次側の端部２１ｂ」は、後述する「第１の摺動弁装置３０」の給水口３０ｂに接続されている。
【００３６】
第１の摺動弁装置３０は、「混合弁」の具体例を構成するものであり、図３に示すように、本体部１１の上端部側に配設されている。また、第１の摺動弁装置３０の「排出口３０ｃ」は、図４に示すように、排出流路２５の一次側の端部２５ａに接続されている。この第１の摺動弁装置３０は、図３に示すように、固定弁体３１と、固定弁体３１上で摺動する可動弁体３２とを備えている。
【００３７】
第１の摺動弁装置３０は、本体部１１の上方に装着された操作レバー（図１を参照）３５を用いて操作される。そして、この第１の摺動弁装置３０は、給湯路２０を通じて供給される湯と、給水路２１を通じて供給される水とを所定の混合割合にて混合し、排出口３０ｃを通じて、排出流路２５に排出可能である。また、第１の摺動弁装置３０は、給湯路２０から供給される湯を、そのまま、排出流路２５に排出したり、給水路２１から供給される水を、そのまま、排出流路２５に排出することもできる。
【００３８】
排出流路２５は、図３及び図４に示すように、第１の摺動弁装置３０を起点として（１次側の端部として）下降する流路部２５ａと、上方空間部１２ｕ（第１の流路部２５ｂ）と、によって構成されている。この排出流路２５の「２次側の端部２５ｄ」は、「上方空間部１２ｕの上端部（開口部）」によって構成されている（図３を参照）。
【００３９】
分岐流路２３は、「浄水用の通水路Ｊ」の具体例を構成するものであり、図５に示すように、１次側の端部２３ａを給水路２１の中間部に接続し、２次側の端部２３ｂを「下方空間部１２ｄの上端部（開口部）」によって構成している（図３を参照）。また、図６に示すように、取付部１３の内部空間１３ａによって、分岐流路２３の一部（１次側の端部２３ａに近接する部位）を構成している。尚、以下の説明において、この分岐流路２３において内部空間１３ａよりも１次側に位置する部位を、弁前流路部２３ｃと称し、内部空間１３ａよりも２次側に位置する部位を、弁後流路部２３ｄと称することがある。
【００４０】
第２の摺動弁装置５０は、図６に示すように、取付部１３（内部空間１３ａ）に装着されている。この第２の摺動弁装置５０は、ハウジング５１と、ハウジング５１内に配置される固定弁体５２と、固定弁体５２に対して摺動可能な可動弁体５３とを備えている。
【００４１】
ハウジング５１は、導入口５１ａと導出口５１ｂとを備え、導入口５１ａは、弁前流路部２３ｃに向かって開口し（弁前流路部２３ｃと接続され）、導出口５１ｂは、弁後流路部２３ｄに向かって開口している（弁後流路部２３ｄと接続されている。）。
【００４２】
第２の摺動弁装置５０は、取付部１３の側方に配置されるハンドル５０ｈを用いて操作される。これにより、給水路２１と弁後流路部２３ｄとを遮断し、給水路２１から弁後流路部２３ｄに水が流入することを停止させたり、給水路２１と弁後流路部２３ｄとを連通させ、給水路２１から弁後流路部２３ｄに水を流入させる。また、弁前流路部２３ｃと弁後流路部２３ｄとの連通度合いを調節することで、給水路２１から弁後流路部２３ｄに流入する水量の調節が行われる。
【００４３】
吐水ヘッド６０は吐水部材の具体例を構成すると共に、図７に示すように、把持部６１と頭部６２とを備えている。また、この吐水ヘッド６０は、後端部を支持部１２によって支持されて、水栓ボディ１０から突出する状態（斜め上がり傾斜状に突出する状態）に配設されている。尚、この吐水ヘッド６０及びその構成部材においては、水栓ボディ１０に「近接する側（つまり、通水方向に沿った１次側）」を「後」と称し、「水栓ボディ１０から離間する側（つまり、通水方向に沿った２次側）」を「前」と称することがある。例えば、水栓ボディ１０に「近接する側の端部」を「後端部」と称し、「水栓ボディ１０から離間する側の端部」を「前端部」と称することがある。
【００４４】
把持部６１は、図７及び図８に示すように、内径及び外径が軸心方向に略一定とされた略円筒体によって構成されている。また、後端部（下端部）の内径は、前述のスペーサ１４を嵌合可能なものとされている。更に、把持部６１内には浄水カートリッジ７０が配設されている。
【００４５】
浄水カートリッジ７０は、略円柱状の外形を備え、軸心を把持部６１の軸心に揃えた状態で、把持部６１内に挿入されている。この浄水カートリッジ７０は、外郭ケース７１内に挿入された状態とされている。
【００４６】
外郭ケース７１は、図９に示すように、後端部（下端部）に底部７１ａを備える「有底の略円筒形状」に構成されている。また、外郭ケース７１の底部７１ａの中心部（外郭ケース７１の軸心が通過する位置）には、底部７１ａを貫通する貫通孔７１ｂが設けられている。また、底部７１ａの表面（外郭ケース７１の表側に位置する面）において、貫通孔７１ｂを周回状に包囲する箇所からは、略円筒状の接続部７１ｃが突出している。この接続部７１ｃは、図８に示すように、前述の被接続部１２ｅを嵌入可能なサイズとされている。尚。この被接続部１２ｅは、外郭ケース７１の「流入口」の具体例を構成する。
【００４７】
図９に示すように、外郭ケース７１の前端側の部位は、内径及び外径が段差状に大きくされた大径部７１ｄとされている。この大径部７１ｄは、前述の把持部６１に嵌合可能なサイズとされている（図８を参照）。また、外郭ケース７１の外周部において、大径部７１ｄの後方に位置する部位には鍔部７１ｅが形成され、大径部７１ｄの後端部と、鍔部７１ｅとに形成される隙間部よって、外郭ケース７１の外周部を周回する装着溝を構成している。そして、この装着溝には、シール部材（パッキン）７１ｇが装着されている。
【００４８】
浄水カートリッジ７０は、図９に示すように、略円柱状に構成される浄化材７２ｊと、浄化材７２ｊの前半側を被覆する外装体７２ａとを備えている。また、外装体７２ａは、前端部に蓋部７２ｃを備える略円筒状に構成されている。この蓋部７２ｃの略中心部には、外装体７２ａの内外を連通させる取出口７２ｆが形成されている。そして、この取出口７２ｆは、浄水カートリッジ７０の「取出部」の具体例を構成する。また、浄化材７２ｊの後端面には、円板状の板部材７２ｄが装着されている。そして、板部材７２ｄには、その肉厚方向に連通する取入口７２ｅが形成されている。そして、この取入口７２ｅによって、浄水カートリッジ７０の「取入部」の具体例を構成する。尚、本実施例において、取入口７２ｅ及び取出口７２ｆは、浄化材７２ｊから離間する方向に突出する略円筒状に形成されている。
【００４９】
浄化材７２ｊは、「前半部（吐水口に近接する側の部分）を構成しつつ、外装体７２ａで被覆される中空糸膜」と、「後半部（吐水口に離間する側の部分）を構成する繊維状活性炭」と、を備える。但し、繊維状活性炭は、その外周部を不織布を用いたフィルタ７２ｇにより被覆された状態とされている。
【００５０】
本実施例においては、図８に示すように、浄水カートリッジ７０が外郭ケース７１に対して嵌合されている。また、浄水カートリッジ７０の取入口７２ｅは、その突端部が、外郭ケース７１の底部７１ａに当接すると共に、この取入口７２ｅと被接続部１２ｅとが同心状に位置合わせされ、互いに連通する。
【００５１】
頭部６２は、図７に示すように、屈曲状に構成され、内部に弁装置６５を配設すると共に、この弁装置６５を操作するための操作ボタン６２ａを外周部に露呈させている。また、頭部６２の前端部は吐水フェイス６２ｂによって構成されている。また、吐水フェイス６２ｂは、中心部に位置する大型の貫通孔６２ｃと、その周囲に位置する多数の貫通孔（図示を省略）とを備える。これらの貫通孔（６２ｃ等）は、吐水フェイス６２ｂを肉厚方向に貫通する状態に設けられ、「吐水口」の具体例を構成している。
【００５２】
操作ボタン６２ａは、この吐水口（多数の貫通孔６２ｃ）によって行われる吐水態様（原水の吐水態様）を選択するためのものである。つまり、操作ボタン６２ａの操作態様に応じて、「シャワー吐水」と、「泡沫吐水（泡を含んだ吐水）」とを択一的に実行することができる。
【００５３】
また、頭部６２の後端部には、略円筒状の接続部６２ｇが設けられている。この接続部６２ｇは、外郭ケース７１の前端側に嵌合可能なサイズとされている。そして、外周部には周回状の装着溝が設けられ、この装着溝には、シール部材（パッキン）６２ｉが装着されている。尚、頭部６２の内部空間（接続部６２ｇの入口から、吐水フェイス６２ｂに到達するまでの空間）によって、共用路６２ｊが構成される。この共用路６２ｊは、吐水フェイス６２ｂに到達する直前の原水と、吐水フェイス６２ｂに到達する直前の浄水が通過する。
【００５４】
図７に示すように、「把持部６１の後端側」により、「スペーサ１４が螺合された支持部１２」を外嵌することで、吐水ヘッド６０は水栓ボディ１０に支持される。また、浄水カートリッジ７０は、外郭ケース７１に嵌合された状態で、把持部６１内に配設される。その際、外郭ケース７１は、その接続部７１ｃに対して、水栓ボディ１０の被接続部１２ｅを嵌合すると共に、大径部７１ｄを「把持部６１のうちで、上端側に位置する部位」に当接させた状態で、把持部６１内に配設される。尚、接続部７１ｃ及び被接続部１２ｅ間の水密性は、被接続部１２ｅに装着されたシール部材（パッキン等）１２ｐによって保持され、外郭ケース７１及び把持部６１間の水密性は、外郭ケース７１に装着されたシール部材（パッキン）７１ｇによって保持されている。また、外郭ケース７１の把持部６１の軸心方向に沿った位置決めは、接続部７１ｃの後端面を、蓋部１２ｆに当接させること等によって行われる。更に、頭部６２は、その接続部６２ｇを、外郭ケース７１の前端側に嵌合することで、把持部６１と一体化される。
【００５５】
吐水ヘッド６０が水栓ボディ１０に支持されると、図８に示すように、外郭ケース７１の外壁部と、把持部６１との間に環状の空間部（以下、「中間通水路部」という。）６７が形成される。この中間通水路部６７は、「原水用の通水路Ｇの中間部」を構成する部分であり、その「１次側の端部（後端部）」が、前述の上方空間部（第１の通水路部）１２ｕに連通している。また、この中間通水路６７の「２次側の端部（前端部）」は、中継通水路部５８（図４を参照）を介して共用路６２ｊに接続されている。
【００５６】
本実施例においては、図４に示すように、「原水用の通水路Ｇ」が、「水栓ボディ１０内の排出流路２５（流路部２５ａ及び流路部２５ｂ）」と、「吐水ヘッド６０内の流路部（中間通水路部６７、中継通水路部５８及び共用路６２ｊ）」とを接続して構成されている。そして、操作レバー３５を用いて、第１の摺動弁装置３０に開弁操作を施すと、「原水用の通水路Ｇを通過した原水Ａ」が、吐水フェイス６２ｂから吐水される。
【００５７】
また、図５に示すように、「浄水用の通水路Ｊ」は、水栓ボディ１０内の分岐流路２３によって構成され、この浄水用の通水路Ｊの２次側の端部（被接続部１２ｅ）は、外郭ケース７１の流入口（接続部７１ｃ）に水密状に接続されている。このため、本湯水混合水栓Ｓにおいては、「原水用の通水路Ｇ」と、「浄水用の通水路Ｊ」とは、隔離された状態（略水密状に隔離された状態）とされている。そして、ハンドル５０ｈを用いて、第２の摺動弁装置５０に開弁操作を施すと、「浄水用の通水路Ｊを通過した水」は、浄水カートリッジ７０内を通過して浄水Ｂになった後、吐水路６２ｔ（後述する。）を経て、吐水フェイス６２ｂから吐水される。
【００５８】
本実施例の湯水混合水栓Ｓにおいては、吐水ヘッド６０内に浄水カートリッジ７０を配設するため、外観（見栄え）が良く、設置スペースの省スペース化を図ることができる。また、原水用の通水路Ｇと、浄水用の通水路Ｊとが隔離され、各々が専用の通水路とされるため、「原水用の通水路Ｇを通過する湯水」が、浄水カートリッジ７０の取入口７２ｅに流入することはない。換言すると、給水路２１を経て「浄水用の通水路Ｊ」に流入した「水」のみが、浄水カートリッジ７０の取入口７２ｅに流入することになる。従って、本実施例の湯水混合水栓Ｓによると、「浄水カートリッジを構成する浄化材７２ｊに付着していた有害物質（トリハロメタン等）が、吐水口から流出するという不具合」の発生を抑制することができる。
【００５９】
また、本実施例によると、「外郭ケース７１」を用いて、「原水用の通水路Ｇと、浄化材７２ｊとを隔離するための隔壁を構成する。従って、吐水ヘッド６０内の内部構造の簡略化を図ることができる。
【００６０】
尚、本各発明の範囲は前記実施例に示す具体的な態様に限定されず、本各発明の範囲内で種々の変形例を例示できる。
【００６１】
即ち、図１０（ａ）に示す変形例１のように、請求項２の発明に従って、「浄水カートリッジ７０の取出口７２ｅ」の２次側に、逆止弁７８を配設してもよい。つまり、実施例と同様に、吐水ヘッド６０において、「取出口７２ｅと、吐水フェイス６２ｂ（吐水口）とを連絡する吐水路６２ｔ」と、「原水用の通水路Ｇ」とが、吐水ヘッド６０内の合流部Ｈにおいて合流する。尚、合流部Ｈから吐水フェイス６２ｂ（吐水口）に至る流路部が、前述の共用路６２ｊとなる。
【００６２】
変形例１においては、吐水路６２ｔのうちで、合流部Ｈよりも１次側に位置する部位（取出口７２ｅと、合流部Ｈとの間に位置する部位）に、逆止弁７８を配設している。そして、この変形例１によると、吐水ヘッド６０の構造の簡略化を図りつつ、「原水の浄水カートリッジ７０への逆流」を防止することができる。
【００６３】
また、図１０（ｂ）に示す変形例２のように、請求項３の発明に従って、吐水ヘッド６０において、「取出口７２ｅと、吐水フェイス６２ｂ（吐水口）とを連絡する吐水路６２ｔ」と、「原水用の通水路Ｇ」とが分離されてもよい。この変形例２においても、原水用の通水路Ｇ内の原水が、浄水カートリッジ７０に向かって逆流すること」を確実に防止できる。
【産業上の利用可能性】
【００６４】
本発明は、例えば、水栓の製造、販売、施工、加工等を行う分野で利用可能である。
【図面の簡単な説明】
【００６５】
【図１】実施例の湯水混合水栓の概略的な側面図である。
【図２】実施例の湯水混合水栓の正面図である。
【図３】実施例の湯水混合水栓の要部縦断面図である。
【図４】実施例の湯水混合水栓の流路構造を説明するための説明図である。
【図５】実施例の湯水混合水栓の流路構造を説明するための説明図である。
【図６】第２の摺動弁装置を説明するための縦断面図である。
【図７】実施例の湯水混合水栓の要部拡大縦断面図である。
【図８】実施例の湯水混合水栓の要部拡大縦断面図である。
【図９】実施例の吐水ヘッドの湯水混合水栓の要部分解縦断面図である。
【図１０】（ａ）は変形例１を説明するための説明図であり、（ｂ）は変形例２を説明するための説明図である。
【図１１】従来例に係る湯水混合水栓を説明するための正面図である。
【図１２】本発明者が、本出願前に発明した湯水混合水栓（改良例）を説明するための説明図である。
【図１３】本発明者が、本出願前に発明した湯水混合水栓（改良例）の流路構造を説明するための説明図である。
【符号の説明】
【００６６】
Ｓ；湯水混合水栓、
Ｃ；給水源、
Ｈ；給湯源、
Ｇ；原水用の通水路（排出流路２５、中間通水路部６７、中継通水路部５８及び共用路６２ｊ）、
Ｊ；浄水用の通水路（分岐流路２３）
Ｈ；合流部、
１０；水栓ボディ、
３０；第１の摺動弁装置（混合弁）、
１２；支持部、
１２ｄ；下方空間部（第２の通水路部）、
１２ｕ；上方空間部（第１の通水路部）、
２０；給湯路、
２１；給水路、
６０；吐水ヘッド（吐水部材）、
６２ｃ；貫通孔（吐水口）、
７１；外郭ケース、
７１ｃ；接続部（流入口）、
７２ｊ；浄化材、
７２ｅ；取入口、
７２ｆ；取出口、
７８；逆止弁。
【図１】
2008208582.tif 000003
【図２】
2008208582.tif 000004
【図３】
2008208582.tif 000005
【図４】
2008208582.tif 000006
【図５】
2008208582.tif 000007
【図６】
2008208582.tif 000008
【図７】
2008208582.tif 000009
【図８】
2008208582.tif 000010
【図９】
2008208582.tif 000011
【図１０】
2008208582.tif 000012
【図１１】
2008208582.tif 000013
【図１２】
2008208582.tif 000014
【図１３】
2008208582.tif 000015